(57)【要約】【課題】フレキシブル配線基板の湾曲による、配線の断線を抑止し、発光素子の不良発生を軽減可能な液晶表示装置を提供する。【解決手段】本発明の液晶表示装置は、液晶表示パネルと、ベースフィルム、前記ベースフィルムの一面側に配置されて一方向に延在する配線、および、前記ベースフィルムと前記配線の一面側を覆うとともに前記配線の一面の一部である露出面を露出する開口部が設けられたソルダーレジストを有するフレキシブルプリント基板と、電極を有し、前記電極が前記配線の一面に重なるように前記開口部内に配置されて、前記開口部内に充填されたはんだにより前記電極が前記露出面に接合される発光素子と、を有し、前記露出面の外周の縁の一部が凸部であり、前記凸部が前記配線の延在方向に突出していることを特徴とする。【選択図】図７
2014096404.tif 000002
【特許請求の範囲】
【請求項１】
液晶表示パネルと、
ベースフィルム、前記ベースフィルムの一面側に配置されて一方向に延在する配線、および、前記ベースフィルムと前記配線の一面側を覆うとともに前記配線の一面の一部である露出面を露出する開口部が設けられたソルダーレジストを有するフレキシブルプリント基板と、
電極を有し、前記電極が前記配線の一面に重なるように前記開口部内に配置されて、前記開口部内に充填されたはんだにより前記電極が前記露出面に接合される発光素子と、を有し、
前記露出面の外周の縁の一部が凸部であり、前記凸部が前記配線の延在方向に突出していることを特徴とする液晶表示装置。
【請求項２】
前記凸部が、前記発光素子からの距離が最も大きい第１縁と、
前記第１縁よりも前記発光素子との距離が近く、前記第１縁の一方の端と繋がる第２縁と、
前記第１縁の他方の端と繋がる、前記第１縁よりも前記電極との距離が小さい第３縁と、を有し、
前記第１縁が前記延在方向となす角度が、前記第２縁が前記延在方向となす角度よりも垂直に近く、
前記第１縁が前記延在方向となす角度が、前記第３縁が前記延在方向となす角度よりも垂直に近いことを特徴とする請求項１に記載の液晶表示装置。
【請求項３】
前記第１縁の一方の端が前記第２縁を介して第４縁の他方の端と繋がり、
前記第１縁の他方の端が前記第３縁を介して第５縁の他方の端と繋がり、
前記第４縁が前記延在方向となす角度が、前記第２縁が前記延在方向となす角度よりも垂直に近く、前記第５縁が前記延在方向となす角度が、前記第３縁が前記延在方向となす角度よりも垂直に近いことを特徴とする請求項２に記載の液晶表示装置。
【請求項４】
前記第１縁の一方の端が前記第２縁を介して第４縁の他方の端と繋がり、
前記第４縁の一方の端が第６縁を介して、前記第４縁よりも前記電極との距離が大きい第７縁の他方の端と繋がり、
前記第４縁が前記延在方向となす角度が、前記第２縁と前記第６縁がそれぞれ前記延在方向となす角度よりも垂直に近く、前記第７縁が前記延在方向となす角度が、前記第６縁が前記延在方向となす角度よりも垂直に近いことを特徴とする請求項２又は請求項３に記載の液晶表示装置。
【請求項５】
前記第１縁が直線形であることを特徴とする請求項２乃至４のいずれか一項に記載の液晶表示装置。
【発明の詳細な説明】
【技術分野】
【０００１】
本発明は液晶表示装置に関する。
【背景技術】
【０００２】
コンピュータ等の情報通信端末やテレビ受像機の表示デバイスとして、液晶表示装置等の表示装置が広く用いられている。液晶表示装置は、２つの基板の間に封じ込められた液晶組成物の配向を、電界を変化させることにより変えて、２つの基板と液晶組成物を通過する光の透過度合いを制御することにより画像を表示させている。近年、液晶表示装置は携帯電話やスマートフォンに利用されており、その小型化、および耐久性の向上が要求されている。
【０００３】
特許文献１には、液晶表示装置のバックライトの耐久性を向上させるための構成として、複数の発光素子がフレキシブル配線基板の一部に互いに離間して設けられた構成が開示されている。これらの発光素子同士は互いに金属からなる配線によって電気の導通が保たれている。また、その配線は両端部にランドが設けられており、さらに、各ランド同士の間の領域は保護膜によって覆われている。
【先行技術文献】
【特許文献】
【０００４】
【特許文献１】特開２００６−２３７３２０号公報
【発明の概要】
【発明が解決しようとする課題】
【０００５】
通常、このような構成のフレキシブル配線基板は、配線の一部であるランド部の一面と、発光素子の電極とがはんだによって接合されることで電気の導通が保たれている。配線のはんだによって覆われている領域の剛性は、はんだによって覆われていないその他の領域に比べて大きくなり、フレキシブル配線基板が湾曲すると、はんだによって覆われている領域と、覆われていない領域との境目に応力が集中する。このため、その境目に位置する配線が、フレキシブルプリント基板が湾曲を繰り返すことで断線するおそれが生じる。この結果、配線と発光素子との電気の導通が保たれず、発光素子が点灯しなくなるなどの不良を引き起こすおそれがあった。
【０００６】
本発明は、このような事情に鑑みてなされたものであって、フレキシブル配線基板の湾曲による配線の断線を抑止し、発光素子の不良発生を軽減することを目的とする。
【課題を解決するための手段】
【０００７】
（１）本発明の液晶表示装置は、液晶表示パネルと、ベースフィルム、前記ベースフィルムの一面側に配置されて一方向に延在する配線、および、前記ベースフィルムと前記配線の一面側を覆うとともに前記配線の一面の一部である露出面を露出する開口部が設けられたソルダーレジストを有するフレキシブルプリント基板と、電極を有し、前記電極が前記配線の一面に重なるように前記開口部内に配置されて、前記開口部内に充填されたはんだにより前記電極が前記露出面に接合される発光素子と、を有し、前記露出面の外周の縁の一部が凸部であり、前記凸部が前記配線の延在方向に突出していることを特徴とする。
【０００８】
（２）本発明の液晶表示装置は、（１）において、前記凸部が、前記発光素子からの距離が最も大きい第１縁と、前記第１縁よりも前記発光素子との距離が近く、前記第１縁の一方の端と繋がる第２縁と、前記第１縁の他方の端と繋がる、前記第１縁よりも前記電極との距離が小さい第３縁と、を有し、前記第１縁が前記延在方向となす角度が、前記第２縁が前記延在方向となす角度よりも垂直に近く、前記第１縁が前記延在方向となす角度が、前記第３縁が前記延在方向となす角度よりも垂直に近くてもよい。
【０００９】
（３）本発明の液晶表示装置は、（２）において、前記第１縁の一方の端が前記第２縁を介して第４縁の他方の端と繋がり、前記第１縁の他方の端が前記第３縁を介して第５縁の他方の端と繋がり、前記第４縁が前記延在方向となす角度が、前記第２縁が前記延在方向となす角度よりも垂直に近く、前記第５縁が前記延在方向となす角度が、前記第３縁が前記延在方向となす角度よりも垂直に近くてもよい。
【００１０】
（４）本発明の液晶表示装置は、（２）又は（３）において、前記第１縁の一方の端が前記第２縁を介して第４縁の他方の端と繋がり、前記第４縁の一方の端が第６縁を介して、前記第４縁よりも前記電極との距離が大きい第７縁の他方の端と繋がり、前記第４縁が前記延在方向となす角度が、前記第２縁と前記第６縁がそれぞれ前記延在方向となす角度よりも垂直に近く、前記第７縁が前記延在方向となす角度が、前記第６縁が前記延在方向となす角度よりも垂直に近くてもよい。
【００１１】
（５）本発明の液晶表示装置は、（２）乃至（４）のいずれか一項において、前記第１縁が直線形であってもよい。
【発明の効果】
【００１２】
本発明における液晶表示装置は、露出面の外周の縁の一部である凸部が配線の延在方向に突出しているため、フレキシブル基板が湾曲する際に、露出面の外周の縁に作用する応力が凸部の先端に集中する。これにより、フレキシブル基板が湾曲を繰り返しても、露出面の外周の縁全体が断線することが防がれ、配線と発光素子との電気の導通が保たれる。このため、本発明における液晶表示装置は、本構成を有しない液晶表示装置と比べ、発光素子の不良発生を軽減することができる。
【図面の簡単な説明】
【００１３】
【図１】図１は本発明の一実施形態に係る液晶表示装置の概略平面図である。
【図２】図２は図１の液晶表示装置の背面図である。
【図３】図３は図２の発光素子を発光素子収納部内に収納した状態を示す概略平面図である。
【図４】図４は図２に示す発光素子実装部の一部のＩＶ−ＩＶ線の概略断面拡大図である。
【図５】図５は、図２に示す発光素子実装部のＶ領域の拡大図である。
【図６】図６は、図２に示す発光素子実装部のＶ領域の拡大図である。
【図７】図７は、図６のＶＩＩ領域の拡大図である。
【図８】図８は、図６に示す発光素子実装部を湾曲させた状態のＶＩＩＩ−ＶＩＩＩ線の概略断面図である。
【図９】図９は、図６に示す発光素子実装部を湾曲させた状態のＩＸ−ＩＸ線の概略断面図である。
【図１０】図１０は、本発明の第２の実施形態に係る液晶表示装置の発光素子実装部の部分拡大図である。
【図１１】図１１は、図１０のＸI領域の拡大図である。
【図１２】図１２は、本発明の第３の実施形態に係る液晶表示装置の発光素子実装部の部分拡大図である。
【図１３】図１３は、図１２のＸＩＩＩ領域の拡大図である。
【発明を実施するための形態】
【００１４】
以下、本発明の第1の実施形態に係る液晶表示装置１について図面に基づいて説明する。なお、以下の説明において参照する図面は、特徴をわかりやすくするために便宜上特徴となる部分を拡大して示している場合があり、各構成要素の寸法比率などは実際と同じであるとは限らない。また、以下の説明において例示される材料等は一例であって、各構成要素はそれらと異なっていてもよく、その要旨を変更しない範囲で適宜変更して実施することが可能である。
【００１５】
図１に本発明の一実施形態に係る液晶表示装置１の概略平面図を示す。液晶表示装置１には、液晶表示パネル１０とフレーム４４とが設けられている。
【００１６】
液晶表示パネル１０は、偏光板１１と、基板１２、１４を有している。基板１２は、例えばカラーフィルタ基板であり、図示しないカラーフィルタが設けられている。基板１４は、例えばＴＦＴ（Thin Film Transistor）基板であり、図示しない薄膜トランジスタ（ＴＦＴ）が設けられている。また、液晶表示パネル１０には、集積回路チップ２０が搭載されており、さらに、フレキシブル配線基板２２が取り付けられている。
【００１７】
フレキシブル配線基板２２は、発光素子実装部２２ａと屈曲部２２ｂと本体部２２ｃとを有している。発光素子実装部２２ａは発光素子が実装される領域であり、屈曲部２２ｂは背面側に屈曲可能な構成を有している。また、本体部２２ｃには、図示しない配線が設けられている。
【００１８】
図２は図１の液晶表示装置１の背面図である。液晶表示パネル１０の背面側には、反射シート１５が配置されている。また、フレキシブル配線基板２２の発光素子実装部２２ａには、複数の発光素子３０と、後述する配線３３が設けられている。発光素子３０は、発光素子実装部２２ａの背面側に互いに間隔を空けて配置されており、配線３３により互いに電気的に接続されている。
【００１９】
また、フレーム４４の、フレキシブル配線基板２２側の領域には、発光素子収納領域４４ａが設けられている。発光素子収納領域４４ａには、発光素子３０を収納可能な凹部である発光素子収納部４４ｂと、発光素子実装部２２ａを固定する固定部４４ｃとが設けられている。発光素子収納部４４ｂは、発光素子３０を収納可能であればその構造は凹形状に限られない。また、固定部４４ｃには、例えば両面テープなどの粘着性を有する部材を配置することができるが、発光素子実装部２２ａを固定可能であれば、その他の構成を採用してもよい。
【００２０】
図３は図２の発光素子３０を発光素子収納部４４ｂ内に収納した状態を示す概略平面図である。フレキシブル配線基板２２の屈曲部２２ｂが液晶表示装置１の背面側に屈曲されることにより、発光素子実装部２２ａが固定部４４ｃに固定されるとともに、発光素子３０が発光素子収納部４４ｂ内に収納される。
【００２１】
図４は図２に示す発光素子実装部２２ａの一部のＩＶ−ＩＶ線の概略断面拡大図である。発光素子実装部２２ａは、ベースフィルム２３と、ベースフィルム２３の一面側に配置された配線３３と、ベースフィルム２３と配線３３の一面側を覆うソルダーレジスト２４とを有している。また、発光素子実装部２２ａの一面側には発光素子３０が設けられている。
【００２２】
配線３３は、例えば、発光素子実装部２２ａの長手方向に沿うように延在している。また、配線３３の端部にはランド部３３ａが設けられている。このランド部３３ａの一面の一部である露出面３３ａ１は、ソルダーレジスト２４に設けられた開口部２４ａにより露出されている。
【００２３】
発光素子３０は、例えばその長手方向の端部に電極３１を有し、この電極３１が露出面３３ａ１の一面に重なるように開口部２４ａ内に配置されている。なお、電極３１は、露出面３３ａ１に重なるように配置できるのであれば、発光素子３０のどこに設けられていてもよい。
【００２４】
電極３１は、開口部２４ａに充填されたはんだ３２により露出面３３ａ１に接合されている。これにより、発光素子３０と配線３３は電気の導通が保たれている。
【００２５】
また、露出面３３ａ１のうち、発光素子３０の外側に位置する、ソルダーレジスト２４によって覆われた領域と露出面３３ａ１との境界の部分を、露出面３３ａ１の外周の縁３３ａ２とする。
【００２６】
図５は、図２に示す発光素子実装部２２ａのＶ領域の拡大図である。図５においては、説明の便宜上、発光素子実装部２２ａの一面側に設けられた発光素子３０およびはんだ３２を不図示としている。ここに示すように、縁３３ａ２は、開口部２４ａの外周と同じ形状となる。
【００２７】
図６は、図２に示す発光素子実装部２２ａのＶ領域の拡大図である。はんだ３２は、開口部２４ａに充填されているため、はんだ３２の外周の縁３２ａは、縁３３ａ２と同じ形状となる。
【００２８】
図７は、図６のＶＩＩ領域の拡大図である。配線３３の延在方向を延在方向ｌとすると、本実施形態における縁３３ａ２は、その一部である凸部３３ｂが延在方向ｌに突出している。また、第１縁３３ｂ１の延在方向ｌに対して垂直方向の幅ｗ1は、露出面３３ａ１の延在方向ｌに対して垂直方向の幅ｗ２よりも短い。
【００２９】
凸部３３ｂについて具体的に説明すると、凸部３３ｂは例えば、異なる角度で延びる複数の縁を有している。これらの縁のうち、発光素子３０からの距離が最も大きい部分を第１縁３３ｂ１とする。また、第１縁３３ｂ１よりも発光素子３０との距離が近く、第１縁３３ｂ１の一方の端３３ｃ２と繋がる部分を第２縁３３ｂ２とし、第１縁３３ｂ１の他方の端３３ｃ３と繋がる部分を第３縁３３ｂ３とする。
【００３０】
第１縁３３ｂ１が延在方向ｌとなす角度を角度α１とすると、角度α１は、第２縁３３ｂ２が延在方向ｌとなす角度α２よりも垂直に近く、また、第３縁３３ｂ３が延在方向ｌとなす角度α３よりも垂直に近い。なお、角度α１は垂直に近いほど好ましい。なお、凸部３３ｂの各縁は直線形状に限られず、連続して繋がった弧であってもよい。
【００３１】
図８は、図６に示す発光素子実装部２２ａを湾曲させた状態のＶＩＩＩ−ＶＩＩＩ線の概略断面図であり、図９は、図６に示す発光素子実装部２２ａを湾曲させた状態のＩＸ−ＩＸ線の概略断面図である。第１縁３３ｂ１は第２縁３３ｂ２および第３縁３３ｂ３よりも、発光素子実装部２２ａの湾曲している領域との距離が近いため、このように発光素子実装部２２ａが湾曲すると、縁３３ａ２に作用する応力が第１縁３３ｂ１に集中する。このため、第１縁３３ｂ１の部分以外の縁（第２縁３３ｂ２と第３縁３３ｂ３）へ応力が作用することが抑えられる。
【００３２】
このため、発光素子実装部２２ａが湾曲を繰り返して縁３３ａ２が断線することになっても第１縁３３ｂ１のみが断線し、第２縁３３ｂ２と第３縁３３ｂ３の断線が防がれる。よって、配線３３全体が断線することが防がれ、配線３３と電極３１との電気の導通が保たれる。このため、本実施形態における液晶表示装置１は、本構成を有しない液晶表示装置と比べ、点灯しなくなるなどの発光素子３０の不良発生を低減することができる。
【００３３】
第１縁３３ｂ１の形状は、直線形であることが好ましい。ここで述べる「直線形」とは、直線形状の場合のみならず、製造の工程により直線形状から誤差の範囲でずれたものも含む。本実施形態における液晶表示装置１は、このような構成を有することにより、本構成を有しない液晶表示装置と比べ、縁３３ａ２に作用する応力が、第１縁３３ｂ１の一部に集中して作用することが抑えられる。このため、第１縁３３ｂ１が断線しにくく、配線３３全体が断線することが防がれる。よって、発光素子３０の不良発生を低減することができる。
【００３４】
また、第２縁３３ｂ２と第３縁３３ｂ３の形状は、直線形状に限られず、例えば、曲線形状であってもよい。なお、第２縁３３ｂ２から電極３１までの距離と、第３縁３３ｂ３から電極３１までの距離は、それぞれ同じであってもかまわない。
【００３５】
次いで、本発明の第２の実施形態に係る液晶表示装置１について図面に基づいて説明する。図１０は、本発明の第２の実施形態に係る液晶表示装置１の発光素子実装部２２ａの部分拡大図である。以下においては、縁３３ａ２の構成について説明し、第１の実施形態における液晶表示装置１と同様の構成についてはその説明を省略する。
【００３６】
第２の実施形態においては、凸部３３ｂである第１縁３３ｂ１、第２縁３３ｂ２および第３縁３３ｂ３に加え、第４縁３３ｂ４と第５縁３３ｂ５を有している。
【００３７】
図１１は、図１０のＸＩ領域の拡大図である。ここで、それぞれの縁の位置関係について説明すると、第１縁３３ｂ１の一方の端３３ｃ２は第２縁３３ｂ２を介して第４縁３３ｂ４の他方の端３３ｃ４と繋がり、第１縁３３ｂ１の他方の端３３ｃ３は第３縁３３ｂ３を介して第５縁３３ｂ５の他方の端３３ｃ５と繋がっている。なお、第４縁３３ｂ４から発光素子３０への距離と、第５縁３３ｂ５から発光素子３０への距離は、それぞれ同じであってもよい。また、これら第１縁３３ｂ１の形状と第４縁３３ｂ４の形状と第５縁３３ｂ５の形状とは、直線形であることが好ましい。
【００３８】
また、第４縁３３ｂ４が延在方向ｌとなす角度を角度α４とすると、角度α４は第２縁３３ｂ２が延在方向ｌとなす角度α２よりも垂直に近い。また、第５縁３３ｂ５が延在方向ｌとなす角度を角度α５とすると、角度α５は第３縁３３ｂ３が延在方向ｌとなす角度α３よりも垂直に近い。なお、第２縁３３ｂ２および第３縁３３ｂ３は延在方向ｌに沿っていてもよい。また、角度α１、角度α４、角度α５は垂直に近いほど好ましい。
【００３９】
本実施形態における液晶表示装置１は、本構成を有することにより、発光素子実装部２２ａが湾曲した際の応力が縁３３ａ２に作用する場合、応力は凸部３３ｂの第１縁３３ｂ１から第２縁３３ｂ２、第３縁３３ｂ３へと順に作用する。このため、応力が第４縁３３ｂ４と第５縁３３ｂ５へ作用することが抑えられる。これにより、第１縁３３ｂ１だけでなく第２縁３３ｂ２と第３縁３３ｂ３が断線した場合であっても、第４縁３３ｂ４と第５縁３３ｂ５の断線が抑えられる。
【００４０】
よって、本実施形態における液晶表示装置１は、第1の実施形態における液晶表示装置１と比べ、配線３３全体が断線することが抑えられ、配線３３と電極３１との電気の導通が保たれる。このため、本実施形態における液晶表示装置１は、本構成を有しない液晶表示装置と比べ、発光素子３０が点灯しなくなるなどの不良発生を低減することができる。
【００４１】
次いで、本発明の第３の実施形態に係る液晶表示装置１について図面に基づいて説明する。図１２は、本発明の第３の実施形態に係る液晶表示装置１の発光素子実装部２２ａの部分拡大図である。以下においては、縁３３ａ２の構成について説明し、第１の実施形態における液晶表示装置１と同様の構成についてはその説明を省略する。
【００４２】
第３の実施形態における縁３３ａ２は、凸部３３ｂである第１縁３３ｂ１、第２縁３３ｂ２、第３縁３３ｂ３に加え、第４縁３３ｂ４と第６縁３３ｂ６と第７縁３３ｂ７を有している。
【００４３】
図１３は、図１２のＸＩＩＩ領域の拡大図である。ここで、それぞれの縁の位置関係について説明すると、第１縁３３ｂ１の一方の端３３ｃ２は第２縁３３ｂ２を介して第４縁３３ｂ４の他方の端３３ｃ４と繋がり、第４縁３３ｂ４の一方の端３３ｃ６は第６縁３３ｂ６を介して、第７縁３３ｂ７の他方の端３３ｃ７と繋がっている。
【００４４】
第４縁３３ｂ４は、第１縁３３ｂ１および第７縁３３ｂ７よりも、発光素子３０からの距離が小さい。第１縁３３ｂ１から発光素子３０への距離と、第７縁３３ｂ７から発光素子３０への距離は、それぞれ同じであってもよい。また、第６縁３３ｂ６の形状と第７縁３３ｂ７の形状は、直線形であることが好ましい。
【００４５】
第１縁３３ｂ１が延在方向ｌとなす角度α１は、第２縁３３ｂ２が延在方向ｌとなす角度α２よりも垂直に近い。また、第４縁３３ｂ４が延在方向ｌとなす角度を角度α４とし、第６縁３３ｂ６が延在方向ｌとなす角度を角度α６とすると、角度α４は、角度α２および角度α６よりも垂直に近い。また、第７縁３３ｂ７が延在方向ｌとなす角度を角度α７とすると、角度α７は、角度α６よりも垂直に近い。
【００４６】
なお、第２縁３３ｂ２および第６縁３３ｂ６は延在方向ｌに沿っていてもよい。また、角度α１、角度α４、角度α７は垂直に近いほど好ましい。また、第２縁３３ｂ２、第４縁３３ｂ４、第６縁３３ｂ６は直線形状に限られず、連続して繋がった弧であってもよい。
【００４７】
本実施形態における液晶表示装置１は、本構成を有することにより、発光素子実装部２２ａが湾曲した際の応力が縁３３ａ２に作用する場合、応力は凸部３３ｂの第１縁３３ｂ１や第７縁３３ｂ７に作用する。このため、応力が第４縁３３ｂ４へ作用することが抑えられる。これにより、第１縁３３ｂ１だけでなく第２縁３３ｂ２、および、第７縁３３ｂ７と第６縁３３ｂ６が断線した場合であっても、第４縁３３ｂ４の断線が防がれる。
【００４８】
よって、本実施形態における液晶表示装置１は、第1の実施形態における液晶表示装置１と比べ、配線３３全体が断線することが抑えられ、配線３３と電極３１との電気の導通が保たれる。このため、本実施形態における液晶表示装置１は、本構成を有しない液晶表示装置と比べ、発光素子３０が点灯しなくなるなどの不良発生を低減することができる。
【００４９】
以上、実施形態を用いて本発明を説明してきたが、本発明は、上述した実施形態異なったものであってもよく、種々の変形が可能である。例えば、各実施形態で説明した構成は、実質的に同一の構成、同一の作用効果を奏する構成又は同一の目的を達成することができる構成で置き換えても構わない。
【符号の説明】
【００５０】
１…液晶表示装置、１０…液晶表示パネル、１１…偏光板、１２,１４…基板、２０…集積回路チップ、２２…フレキシブル配線基板、２２ａ…発光素子実装部、２２ｂ…屈曲部、２２ｃ…本体部、２３…ベースフィルム、２４…ソルダーレジスト、２４ａ…開口部、３０…発光素子、３１…電極、３２…はんだ、３２ａ…はんだの外周の縁、３３…配線、３３ａ…ランド部、３３ａ１…露出面、３３ａ２…縁、３３ｂ…凸部、３３ｂ１…第１縁、３３ｂ２…第２縁、３３ｂ３…第３縁、３３ｂ４…第４縁、３３ｂ５…第５縁、３３ｂ６…第６縁、３３ｂ７…第７縁、３３ｃ２,３３ｃ３,３３ｃ４,３３ｃ５,３３ｃ６,３３ｃ７…端、４４…フレーム、４４ａ…発光素子収納領域、４４ｂ…発光素子収納部、４４ｃ…固定部、ｗ1…第１縁の幅、ｗ２…幅、α１,α２,α３,α４,α５,α６,α７…角度、ｌ…延在方向。
【図１】
2014096404.tif 000003
【図２】
2014096404.tif 000004
【図３】
2014096404.tif 000005
【図４】
2014096404.tif 000006
【図５】
2014096404.tif 000007
【図６】
2014096404.tif 000008
【図７】
2014096404.tif 000009
【図８】
2014096404.tif 000010
【図９】
2014096404.tif 000011
【図１０】
2014096404.tif 000012
【図１１】
2014096404.tif 000013
【図１２】
2014096404.tif 000014
【図１３】
2014096404.tif 000015